(57)【要約】【課題】例えば、野菜サラダ等にドレッシングを掛けるとき、異なる２つの調味料液を同時にかつ所定の割合だけ注出する調味料液同時注出容器を提供する。【解決手段】調味料液同時注出容器１０は、第１容器１６内に第２容器１７を配置した二重容器本体１３を備えている。第１容器１６と第２容器１７とにはそれぞれ第１調味料液１１と第２調味料液１２とが収容されている。二重容器本体１３の上端開口部は着脱可能なキャップ１４により閉鎖され、このキャップ１４には二重管ノズル１５が取り付けられている。二重管ノズル１５は、外管ノズル部２２と内管ノズル部２３とからなり、外管ノズル部２２は第１容器１６内に連通して第１調味料液を注出し、内管ノズル部２３は第２容器に連通して第２調味料液を注出する。【選択図】図１
2008127070.tif 000002
【特許請求の範囲】
【請求項１】
異なる２種類の第１調味料液と第２調味料液を同時に注出する調味料液同時注出容器において、
上端が開放した上端開口部を有する二重容器本体と、この二重容器本体の前記上端開口部に着脱自在に装着可能なキャップと、前記調味料液同時注出容器から前記第１調味料液と第２調味料液を同時に注出する二重管ノズルとを備え、
前記二重容器本体が、前記第１調味料液を収容する第１容器と、この第１容器の内部に配置されて前記第２調味料液を収容する第２容器とから構成されると共に、前記二重容器本体の前記上端開口部が、前記第１容器の開放した上端と前記第２容器の開放した上端とで構成され、
前記キャップが、前記二重容器本体の前記上端開口部に装着されて該上端開口部を閉塞するとき前記第１，第２容器それぞれの開放した前記上端を密閉し、
前記二重管ノズルが、外管ノズル部と、その内部に配置された内管ノズル部とを備えると共に、前記二重容器本体及び前記キャップのいずれかに取り付けられ、
前記外管ノズル部が、前記第１容器内の前記第１調味料液を抽出し、前記内管ノズルが、前記第２容器内の前記第２調味料液を抽出し、前記外管ノズル部と前記内管ノズル部とにおける調味料液流れ方向に直交する各流路断面積が所定の比率で形成され、前記第１，第２容器にそれぞれ収容されている前記各調味料液を同時に注出し続けることを特徴とする調味料液同時注出容器。
【請求項２】
前記キャップが、天板部と、該天板部の外周縁部に一端が固定された第１筒部と、この第１筒部の内側において前記天板部の内面に一端が固定された第２筒部とから構成され、前記キャップが、前記二重容器本体の前記上端開口部に装着されるとき、前記キャップの前記第１筒部における他端部が、前記第１容器の上端周囲壁に嵌合し、また前記キャップの前記第２筒部における他端部が、前記第２容器の上端周囲壁に嵌合して前記二重容器本体の前記上端開口部を閉塞する請求項１に記載の調味料液同時注出容器。
【請求項３】
前記二重管ノズルの前記外管ノズル部が、前記キャップの前記第１筒部の壁面に形成された第１注出穴に整合して連結され、前記二重管ノズルの前記内管ノズル部が、前記第１注出穴を通って前記第２筒部の壁面に形成された第２注出穴に整合して連結されている請求項２に記載の調味料液同時注出容器。
【請求項４】
前記二重管ノズルを構成している前記内管ノズル部の外周囲に、前記外管ノズル部の流路内面との間隔を保つ少なくとも２つの保持体が周方向に間隔をあけて配置され、前記内管ノズル部の中心軸線が前記外管ノズル部の中心軸線に重なった同心位置にある請求項１〜３のいずれかに記載の調味料液同時注出容器。
【発明の詳細な説明】
【技術分野】
【０００１】
本発明は、調味料液同時注出容器に関し、さらに詳細には、２種類の異なる調味料液を非混合状態で収納し、これら２種類の調味料液を同時にそれぞれ所定の割合で注出する調味料液同時注出容器に関する。
【背景技術】
【０００２】
野菜サラダなどは、例えば、醤油ベースの調味料液と油などの調味料液とを混合したドレッシングを掛けて食することがある。通常、これら調味料液は、それらの比重の違いから容器の中では分離した状態にある。そのため、野菜サラダなどにドレッシングを掛ける際には、これを収容している容器を振って内部の調味料液を攪拌混合し、それらが分離を始めないうちにその容器から注出するようにしている。
【０００３】
しかしながら、実際には、容器内部に収容されている２種類の調味料液は、容器を振り終わると即座に分離が始まるため、完全に均一な混合状態で注出させることは難しく、そのため予定しているドレッシング本来の味で野菜サラダなどを食することができない、という問題がある。そこで、このような調味料液を効率よく攪拌する容器として特許文献１に開示された調味料容器が知られている。この特許文献１に開示された調味料容器は、短冊状の補助板に複数のフィンを斜めに取り付けてなる攪拌用補助部材を蓋の内面で支持することで容器内に吊り下げ、容器に入れられた２種類の調味料を混合して注出するとき、この容器を水平に振るだけで２種類の調味料を攪拌用補助部材により強制的に上下方向に流動させ、分離していた２種類の調味料を短時間に攪拌混合するようにしたものである。
【０００４】
また、特許文献２には、調味料液ではないが、性質の異なる２種類の液体を仕切り壁で区画した個別の室に収容し、注出時に仕切り壁を取り去って混合するようにした二液混合注出容器が開示され、さらに、特許文献３には、計量カップ内に２種類の液体を同時に注出して計量混合できる二液混合計量容器が開示されている。
【特許文献１】実開平６−２１４７５号公報
【特許文献２】特開２００２−２５５１８３号公報
【特許文献３】特開平１０−５９４０１号公報
【発明の開示】
【発明が解決しようとする課題】
【０００５】
特許文献１に開示された調味料容器は、１つの容器（１つの調味料収容室）内に２種類の調味料を入れておき、使用時に容器を水平に振ったとき、分離していた２つの調味料が攪拌補助部材により効果的に混じり合うようにしたものであるが、調味料を注出しようとして容器を振る動作を止めた瞬間から分離が始まるため好適に混合した調味料が注出するのは最初の一瞬で、その後は比重の軽い調味料の方が多く注出してしまう、という問題があった。
【０００６】
また、特許文献２に開示された二液混合注出容器では、性質の異なる２種類の液体を仕切り壁で区画した個別の室に収容し、注出時に仕切り壁を取り去って混合するものであるので、仕切り壁を取り去った後には特許文献１と同じような問題があった。さらに、特許文献３に記載された二液混合計量容器は、注出口の注出弁を計量カップに設けられたノックピンで開き、２つの液体を計量カップに注出するようにしたものであり、内容物が調味料の場合、軽量カップをその都度洗浄する必要があり、実用的ではない、という問題があった。
【０００７】
本発明の目的は、かかる従来の問題を解決するためになされたもので、例えば野菜サラダなどにドレッシングを掛けるとき、異なる２つの調味料液を同時にかつ所定の割合だけ注出する調味料液同時注出容器を提供することにある。
【課題を解決するための手段】
【０００８】
本発明は、異なる２種類の第１調味料液と第２調味料液を同時に注出する調味料液同時注出容器であり、その特徴とするところは、上端が開放した上端開口部を有する二重容器本体と、この二重容器本体の前記上端開口部に着脱自在に装着可能なキャップと、前記調味料液同時注出容器から前記第１調味料液と第２調味料液を同時に注出する二重管ノズルとを備え、前記二重容器本体が、前記第１調味料液を収容する第１容器と、この第１容器の内部に配置されて前記第２調味料液を収容する第２容器とから構成されると共に、前記二重容器本体の前記上端開口部が、前記第１容器の開放した上端と前記第２容器の開放した上端とで構成され、前記キャップが、前記二重容器本体の前記上端開口部に装着されて該上端開口部を閉塞するとき前記第１，第２容器それぞれの開放した前記上端を密閉し、前記二重管ノズルが、外管ノズル部と、その内部に配置された内管ノズル部とを備えると共に、前記二重容器本体及び前記キャップのいずれかに取り付けられ、前記外管ノズル部が、前記第１容器内の前記第１調味料液を抽出し、前記内管ノズルが、前記第２容器内の前記第２調味料液を抽出し、前記外管ノズル部と前記内管ノズル部とにおける調味料液流れ方向に直交する各流路断面積が所定の比率で形成され、前記第１，第２容器にそれぞれ収容されている前記各調味料液を同時に注出し続けることにある。
【０００９】
本発明の調味料液同時注出容器に係る実施形態の一例では、前記キャップが、天板部と、該天板部の外周縁部に一端が固定された第１筒部と、この第１筒部の内側において前記天板部の内面に一端が固定された第２筒部とから構成され、前記キャップが、前記二重容器本体の前記上端開口部に装着されるとき、前記キャップの前記第１筒部における他端部が、前記第１容器の上端周囲壁に嵌合し、また前記キャップの前記第２筒部における他端部が、前記第２容器の上端周囲壁に嵌合して前記二重容器本体の前記上端開口部を閉塞する。
【００１０】
本発明の調味料液同時注出容器に係る実施形態の他の例では、前記二重管ノズルの前記外管ノズル部が、前記キャップの前記第１筒部の壁面に形成された第１注出穴に整合して連結され、前記二重管ノズルの前記内管ノズル部が、前記第１注出穴を通って前記第２筒部の壁面に形成された第２注出穴に整合して連結されている。
【００１１】
本発明の調味料液同時注出容器に係る実施形態の他の例では、前記二重管ノズルを構成している前記内管ノズル部の外周囲に、前記外管ノズル部の流路内面との間隔を保つ少なくとも２つの保持体が周方向に間隔をあけて配置され、前記内管ノズル部の中心軸線が前記外管ノズル部の中心軸線に重なった同心位置にある。
【発明の効果】
【００１２】
本発明の調味料液同時注出容器によると、この容器を二重管ノズル側に傾けた際、第１容器内の第１調味料液が二重管ノズルの外管ノズル部に入ると共に第２容器内の第２調味料液が二重管ノズルの内管ノズル部に入り、これら２種類の調味料液が二重管ノズルの先端の注出口から同時に注出する。この二重管ノズルの外管ノズル部と内管ノズル部における調味料液流れ方向に直交する流路断面積は所定の比率に形成されているので、２種類の調味料液が二重管ノズルから常に所定の割合で注出し続ける。しかも、これら２種類の調味料液は、二重管ノズル先端の注出口から出たときに混合する。そのため、この調味料液同時注出容器内の調味料液を例えば野菜サラダなどに数秒間掛け続けたとしても、野菜サラダのどの部分についても２種類の調味料液が所定の割合で混合した状態で掛かっているので混合した調味料の味で野菜サラダなどを食することができる。
【００１３】
また、本発明の調味料液同時注出容器によると、二重容器本体の上端開口部を閉鎖するキャップに形成されている第１筒部と第２筒部とが、それぞれ第１容器と第２容器とに着脱自在に嵌合するように構成されているので、第１容器及び第２容器のへの調味料液の入れ替えや追加、又はこれら各容器の洗浄などを容易に行うことができる。
【００１４】
さらに、本発明の調味料液同時注出容器によると、二重管ノズルが、合成樹脂などで形成されるキャップに設けられているので、二重管ノズルの取り付けや形成が容易である。しかも、二重管ノズルをキャップに取り付けた場合には、二重容器本体からキャップを外せば、キャップ、第１容器、第２容器に簡単に分解して別々にすることができることも洗浄の容易性を高め、かつこの調味料液同時注出容器の製造容易性を得ることができる。また、本発明の調味料液同時注出容器によると、二重管ノズルを構成している内管ノズル部が、支え片により外管ノズル部に対する同心位置に保持されているので、２種類の調味料液を同時に注出する際に二重管ノズルの注出口での混合が効率よく行われる。
【発明を実施するための最良の形態】
【００１５】
以下、本発明の調味料液同時注出容器を図に示される実施形態について更に詳細に説明する。図１は、本発明の第１実施形態に係る調味料液同時注出容器（以下、注出容器という）１０を示す斜視図、図２は、図１の２−２線で切断して示す注出容器１０の縦断面図、図３は、注出容器１０の使用状態を示す図２と同様な断面図である。この注出容器１０は、異なる２種類の第１調味料液１１と第２調味料液１２（両調味料液とも図２参照）とを同時に注出する容器であり、上端が開放した二重容器本体１３と、この二重容器本体１３の上端開口部を閉鎖するキャップ１４と、二重容器本体１３に収容された種類の異なる調味料液を注出する二重管ノズル１５とから構成されている。
【００１６】
二重容器本体１３は、内部に第１調味料液１１を収容する円筒状の第１容器１６と、この第１容器１６の内部に配置され、第２調味料液１２を収容する円筒状の第２容器１７とを備えている。第１容器１６と第２容器１７とは、共に有底筒状を呈し、第１容器１６の直径は、第２容器１７のそれよりも大きく、また長手方向の長さ（高さ）は、第２容器１７が第１容器１６より若干短く、従って、第２容器１７は、キャップ１４に吊り下がった状態で第１容器１６内に存在している。これら各容器１６，１７はまったく別体である。第１容器１６と第２容器１７の上端は開放されている。これら開放した上端は各容器の首部であり、これら首部にはその外周部にネジ１８，１９が形成されている。
【００１７】
二重容器本体１３の上端開口部を閉鎖するキャップ１４は、天板部１４ａと、この天板部１４ａの外周縁部に一端が連接する第１筒部１４ｂと、この第１筒部１４ｂの内側において天板部１４ａの内面に一端が固定された第２筒部１４ｃとから構成されている。第１筒部１４ｂと第２筒部１４ｃとの各一端から他端までの長さ、言い換えれば天板部１４ａから他端である自由端までの長さは、ほぼ同じである。第１筒部１４ｂにおける他端の内径は、第１容器１６における首部の外径に等しく、また、第２筒部１４ｃにおける他端の内径は、第２容器１７における首部の外径に等しい。第１筒部１４ｂと第２筒部１４ｃとの他端における内周面にはそれぞれネジ２０，２１が形成され、これら各ネジ２０，２１は、第１容器１６の首部外周に形成されたネジ１８、及び第２容器１７の首部外周に形成されたネジ１９にそれぞれ螺合可能である。
【００１８】
キャップ１４における第１筒部１４ｂの他端と第１容器１６の首部とに形成されたネジ１８，２０によりそれら双方どうしは螺合され、また第２筒部１４ｃの他端と第２容器１７の首部とに形成されたネジ１９，２１によりそれら双方どうしは螺合される。キャップ１４の各筒部１４ｂ，１４ｃに第１容器１６と第２容器１７の各首部が螺合されると、必然的に第２容器１７が第１容器１６の内部に配置された状態、即ち第１容器１６内に第２容器１７を内蔵した二重容器本体１３とされた状態になる。従って、この状態が、「キャップ１４が二重容器本体１３の上端開口部に装着される」という意味である。なお、天板部１４ａに各一端が連接（固着）する第１筒部１４ｂと第２筒部１４ｃとを有するキャップ１４は、合成樹脂成型品として一体的に形成されている。
【００１９】
二重管ノズル１５は、キャップ１４に取り付けられている。すなわち、二重管ノズル１５は、キャップ１４の外周壁である第１筒部１４ｂの周囲壁からその径方向外側に突出するように取り付けられるか、或いは一体的に形成されている。さらに具体的には、二重管ノズル１５は、外側のノズル管（外管ノズル部）２２とその内側に同心状に配置された内側のノズル管（内管ノズル部）２３とから構成され、外管ノズル２２は、キャップ１４の第１筒部１４ｂの周囲壁に形成された第１注出穴２４に整合して連結され、二重管ノズル１５の内管ノズル２３は、第１注出穴２４を通って第２筒部１４ｃの周囲壁に形成された第２注出穴２５に整合して連結されている。
【００２０】
第１注出穴２４と第２注出穴２５とは、径方向に延びる同一軸線上における第１筒部１４ｂと第２筒部１４ｃの周囲壁に形成されており、第１注出穴２４の直径は、第２注出穴２５のそれより大きい。外管ノズル部２２は、その一端部が第１筒部１４ｂに形成された第１注出穴２４に整合するように第１筒部１４ｂの周囲壁から径方向外方へ延びている。このような外管ノズル部２２は、キャップ１４の成型時に第１筒部１４ｂに一体的に形成することができる。
【００２１】
他方、内管ノズル部２３は、その外径が外管ノズル部２２の内径より小さく、その一端部外周面にはネジが形成され、第２注出穴２４の内周面には内管ノズル部２３の一端部が螺合可能なようにネジが形成されている。内管ノズル部２３は、外周面にネジが形成された一端部を第１筒部１４ｂの周囲壁に向け、外管ノズル部２２の内部に挿入しながらその一端部を第２注出穴２５に到達させて螺合し、取り付ける。内管ノズル部２３の長さは、図２に示されるようにその他端部が外管ノズル部２２の他端部より若干径方向内側に位置するように、即ち、内管ノズル部２３の他端部が外管ノズル部２２の内部に位置するように設定されている。従って、内管ノズル部２３の第２注出口２５への螺着は、工具などを使用して行われる。なお、内管ノズル部２３は、外管ノズル部２２に対して同心位置を保つ保持体２６で支持されている。
【００２２】
外管ノズル部２２の流路２２ｂと内管ノズル部２３の流路２３ｂとにおける調味料液流れ方向に直交する各流路断面積は、それぞれの内径と内管ノズル部２３の外径とで決まるので、２種類の調味料液１１，１２の混ぜ合わせ程度を勘案して所定の比率で形成される。すなわち、例えば、野菜サラダなどに２種類の調味料液１１，１２を等分量混ぜ合わせて掛けるための注出容器１０とする場合には、外管ノズル部２２の流路２２ｂと内管ノズル部２３の流路２３ｂとの各断面積がほぼ等しくなるようにそれぞれの内径と内管ノズル部２３の外径とが設計される。
【００２３】
二重管ノズル１５において、内管ノズル部２３を外管ノズル部２２の内部で支える保持体２６は、図４に示されるように外管ノズル部２２の内面に密着するように配置された厚みの薄い支持環２６ａと、この支持環２６ａの内周面に設けられた同一長さの３つのスペーサ２６ｂとから構成されている。これらスペーサ２６ｂは、その一端部が支持環２６ａの内周面において周方向に等間隔の位置に取り付けられ、かつ支持環２６ａの径方向内方へ突出している。外管ノズル部２２内に配置された内管ノズル部２３は、その外周面が３つのスペーサ２６ｂの他端部（先端部）に当接するように支持環２６ａ内に通され、これにより内管ノズル部２３は、外管ノズル部２２の長手方向中心軸線と内管ノズル部２３のそれとが重なる同心位置を保持する。その結果、外管ノズル部２２と内管ノズル部２３との各注出口２２ａ，２３ａは、常に同心位置にあるので、内管ノズル部２３の注出口２３ａから出た第２調味料液１２は、外管ノズル部２２内でそこを流れる第１調味料液１１に効率よく混合することになる。
【００２４】
このように構成された注出容器１０をドレッシング容器として使用する場合、キャップ１４を回転して第１容器１６の首部から外す。この状態では、未だキャップ１４に第２容器１７が接続したままであるので、更にキャップ１４を第２容器１７に対して回転し、その首部から取り外す。その結果、キャップ１４と、第１容器１６と、第２容器１７とのすべてが、図１に示されるように独立した存在に分解される。その後、第１容器１６内に第１調味料液１１として所定量の油を入れ、また第２容器１７内に第２調味料液１２として醤油ベースの調味料を所定量入れる。この時、第２容器１７の断面積は第１容器１６のそれより小さく、また第２容器１７の底面は、第１容器１６の底面より上方に位置しているので、第１調味料１１と第２調味料１２を同量だけそれぞれの容器に入れても、第２容器１７内における第２調味料液１２のレベル面は、第１容器１６内における第１調味料液１１のレベル面より高くなる。次いで、キャップ１４の第１筒部１４ｃの他端に第２容器１７の首部が螺合されて連結される。そして、第２容器１７を連結したキャップ１４を持って、第２容器１７を第１容器１６の内部に挿入するようにキャップ１４を第１容器１６の首部に螺合して連結する。これにより、キャップ１４は、二重容器本体１３の上端開口部を閉塞することになる。
【００２５】
次いで、図３に示されるように、注出容器１０を手に持ち、これを振ることなく二重管ノズル１５を下に向けるように傾斜させる。そのとき、第２容器１７内の第２調味料液１２のレベル面Ｌ２が、第１容器１６内の第１調味料液１１のレベル面Ｌ１より高いので、注出容器１０を傾斜させると、２種類の調味料液１１，１２のレベル面Ｌ１，Ｌ２が第１，２注出穴２４，２５にほぼ同時に達し、それぞれの調味料液１１，１２が外管ノズル部２２と内管ノズル部２３とにほぼ同時に流れ込み、第２調味料液１２が内管ノズル部２３の流路２３ｂを通って注出口２３ａから外管ノズル部２２内に出て、そこで外管ノズル部２２の流路２２ｂを流れる第１調味料液１１と混合してその注出口２２ａから注出され、二重管ノズル１５の下方に位置するサラダなどに向かって落下し、サラダなどに掛かることになる。
【００２６】
図５及び図６は、この発明の第２実施形態に係る調味料液同時注出容器（以下、注出容器という）３０を示している。図５は、この注出容器３０を示す斜視図、図６は、図５の６−６線で切断して示す注出容器３０の縦断面図である。第２実施形態の注出容器３０では、上端が開放した二重容器本体３１が、共に有底筒状の第１容器３２と第２容器３３とから構成され、第１容器３２の直径は、第２容器３３のそれよりも大きく、また長手方向の長さ（高さ）は、第２容器３３が、第１容器３２の内部に配置される分だけ第２容器３２の方が、第１容器３３より短い。なお、この実施形態において第２容器３３は、その長手方向中心軸線が第１容器３２の長手方向中心軸線に重なる同心位置に設置されている。
【００２７】
第１容器３２の周囲壁３２ａには、二重管ノズル１５が第１容器３３の径方向外側に突出するように取り付けられている。二重管ノズル１５は、第１実施形態の注出容器１０と同様に、外管ノズル部２２とその内側に同心状に配置された内管ノズル部２３とから構成され、内管ノズル部２３は、外管ノズル部２２に対して同心位置を保つ保持体２６で支持されている。この保持体２６の構造についてはすでに説明したとおりである。この第２実施形態に係る注出容器３０についても、外管ノズル部２２の流路２２ｂと内管ノズル部２３の流路２３ｂとにおける調味料液流れ方向に直交する各流路断面積は、２種類の調味料液１１，１２の混ぜ合わせ程度を勘案して所定の比率で形成される。
【００２８】
この第２実施形態の注出容器３０では、第１容器３２の周囲壁３２ａと第２容器３３の周囲壁３３ａには、各容器の径方向に延びる同一の軸線上において第１注出穴３４及び第２注出穴３５が形成されており、第１注出穴３４の直径は、第２注出穴３５のそれより大きい。外管ノズル部２２は、その一端部が第１容器３２に形成された第１注出穴３４に整合するようにその周囲壁３２ａから径方向外方へ延びている。このような外管ノズル部２２は、第１容器３２の形成時に一体的に形成することができる。
【００２９】
他方、内管ノズル部２３は、その外径が外管ノズル部２２の内径より小さく、その一端部外周面にはネジが形成され、第２注出穴３５の内周面には内管ノズル部２３の一端部が螺合可能なようにネジが形成されている。内管ノズル部２３は、外周面にネジが形成された一端部を第１容器３２の周囲壁３２ａに向け、外管ノズル部２２の内部に挿入しながらその一端部を第２容器３３の第２注出穴３５に到達させて螺合し、取り付ける。内管ノズル部２３の長さは、その他端部が外管ノズル部２２の他端部より若干径方向内側に位置するように、即ち、内管ノズル部２３の他端部が外管ノズル部２２の内部に位置するように設定されている。従って、内管ノズル部２３の第２注出口３５への螺着は、工具などを使用して行われる。なお、内管ノズル部２３は、外管ノズル部２２に対して同心位置を保つ保持体２６で支持されている。これにより、第１容器３２内に収容されている第１調味料液１１は、第１容器３２内に連通する外管ノズル部２２内の流路２２ｂを通って他端部である注出口２２ａから注出され、また第２容器３３内に収容されている第２調味料液１２は、第２容器３３内に連通する内管ノズル部２３内の流路２３ｂを通って他端部である注出口２３ａから注出される。
【００３０】
二重容器本体３１の上端開口部には、キャップ３６が着脱可能に装着される。キャップ３６は、天板部３６ａと、この天板部３６ａの外周縁部に一端が連接する第１筒部３６ｂと、この第１筒部３６ｂの内側において天板部３６ａの内面に一端が固定された第２筒部３６ｃとから構成されている。第１容器３２の上端部における周囲壁３２ａの外表面には、周囲壁を一周する一条の隆起部（ビード部）３２ｂが一体的に形成されており、他方、キャップ３６の第１筒部３６ｂにおける内周面には、前述したビード部３２ｂが緊密に嵌合する一つの凹所３６ｄが周方向に形成されている。第１容器３２の周囲壁３２ａ外表面に形成されているビード部３２ｂとキャップ３６の第１筒部３６ｂ内周面に形成されている凹所３６ｄとは、キャップ３６が二重容器本体３１の上端部に装着されて、その天板部３６ａが第１容器３２の上端面に圧接したときに両者が嵌合する位置関係にあるように形成されている。
【００３１】
キャップ３６の第２筒部３６ｃは、天板部３６ａの内表面における中央部から垂下させた環状のフランジ部で形成され、第２容器３３の開放した上端を閉鎖する。すなわち、第２筒部３６ｃを構成しているフランジ部は、天板部３６ａに繋がる基部から先端部に向かうに従って僅かに外側に反って形成されている。フランジ部の基部における直径は、第２容器３３の上端直径にほぼ等しく、フランジ部の先端部における直径は、第２容器３３の上端直径よりやや大きく形成されている。これにより、キャップ３６が二重容器本体３１の上端開口部に装着されるとき、第２容器３３の上端が天板部３６ａの内表面に形成されている第２筒部３６ｃのフランジ部内に容易に圧入し、両容器３２，３３の開放した上端が同時に封密的に閉鎖される。
【００３２】
このように構成された注出容器３０をドレッシング容器として使用する場合、キャップ３８を外して第１容器３２内に第１調味料液１１として油を入れ、また第２容器３３内に第２調味料液１２として醤油ベースの調味料を入れた後にキャップ３８を二重容器本体３１の上端開口部に装着して両容器３２，３３の開放した上端を密閉する。次いで、注出容器３０を手に持ち、第１実施形態に係る注出容器１０の使用状態を示す図３と同様にこれを振ることなく二重管ノズル１５を下に向けるように傾斜する。これにより、第１調味料液１１及び第２調味料液１２は、二重管ノズル１５の外管ノズル部２２と内管ノズル部２３とを通過して下方に位置するサラダなどに掛かる。
【００３３】
なお、前述した第１，第２実施形態に係る注出容器１０，３０において、第１容器１６，３２、第２容器１７，３３、二重管ノズル１５、およびキャップ１４，３６などは、合成樹脂で作ることが好ましいが、第１容器１６，３２及び第２容器１７，３３についてはガラスや陶器などで作ることも可能であり、また二重管ノズル１５はステンレスなどの金属で作ることもできる。さらに、第１容器１６，３２及び第２容器１７，３３は、内部の調味料液を視認できるように透光性の材料、特に透明な材料で形成されることが好ましい。第１容器１６，３２及び第２容器１７，３３の内部が見えれば、調味料液の残存量も分かり易く、また使用時に注出容器をどの程度傾斜させればよいかがすぐに分かり、傾斜の加減を調整することが容易となる。前述した実施形態に係る注出容器１０，３０では、第１容器１６，３２と第２容器１７，３３がともに円筒形状のものであったが、本発明では、これら容器の形状が円筒形状に限定されるものではなく、種々の形状の容器を使用することができる。この場合、第１実施形態の注出容器１０について、キャップ１４と二重容器本体１３との装着手段としてネジによる螺合を用いる場合には、各容器の首部のみを円筒形状とすることができる。
【００３４】
以上説明したように、前述した各実施形態に係る調味料液同時注出容器１０，３０によると、該注出容器を二重管ノズル１５側に傾けた際、第１容器１６，３２内の第１調味料液１１が二重管ノズル１５の外管ノズル部２２に入ると同時に第２容器１７，３３内の第２調味料液１２が二重管ノズル１５の内管ノズル部２３に入り、これら２種類の第１，第２調味料液１１，１２が二重管ノズル１５の先端で混合しながら注出する。この二重管ノズル１５の外管ノズル部２２と内管ノズル部２３における調味料液流れ方向に直交する流路断面積は所定の比率に形成されているので、２種類の第１，第２調味料液１１，１２が二重管ノズル１５から常に所定の割合で注出し続ける。
【００３５】
さらに、前述した各実施形態に係る調味料液同時注出容器１０，３０によると、２種類の第１，第２調味料液１１，１２は、二重管ノズル先端から出るときに混合するため、この調味料液同時注出容器１０，３０内の調味料液１１，１２を例えば野菜サラダなどに数秒間掛け続けたとしても、野菜サラダのどの部分についても２つの調味料液１１，１２が所定の割合で混合した状態で掛かっているので混合した調味料の味で野菜サラダなどを食することができる。
【図面の簡単な説明】
【００３６】
【図１】一実施形態に係る調味料液同時注出容器の分解斜視図である。
【図２】図１の調味料液同時注出容器を組み立てた状態で示す断面図である。
【図３】図２に示された調味料液同時注出容器の使用状態を示す断面図である。
【図４】二重管ノズル内における内管ノズル部の同心位置支持構造を示す部分的な斜視図である。
【図５】他の実施形態に係る調味料液同時注出容器の斜視図である。
【図６】図５の６−６線で切断して示す調味料液同時注出容器の断面図である。
【符号の説明】
【００３７】
１０，３０    調味料液同時注出容器
１１    第１調味料液
１２    第２調味料液
１３    二重容器本体
１４，３６    キャップ
１４ａ，３６ａ    天板部
１４ｂ，３６ｂ    第１筒部
１４ｃ，３６ｃ    第２筒部
１５    二重管ノズル
１６    第１容器
１７    第２容器
１８，１９，２０，２１    ネジ
２２    外管ノズル部
２２ａ    注出口
２２ｂ    流路
２３    内管ノズル部
２３ａ    注出口
２３ｂ    流路
２４，３６    第１注出穴
２５，３７    第２注出穴
２６    支え片
【図１】
2008127070.tif 000003
【図２】
2008127070.tif 000004
【図３】
2008127070.tif 000005
【図４】
2008127070.tif 000006
【図５】
2008127070.tif 000007
【図６】
2008127070.tif 000008